(57)【要約】本発明は、シリンダーを含む本体（１）を備える。このシリンダー内には工具の衝突ピストン（１）が摺動自在に取り付けられる。ピストンの運動は分配器（１５）によって制御される。この分配器は、衝突ピストンに同軸な関係に配置されかつ分配箱（３）内に取り付けられる。分配箱（３）は、ピストン（１）に軸線方向で重なりかつ該ピストンと同軸な関係に配置された部分を備える。分配箱（３）はピストンと共に制御チャンバ（１３）を画成する。この制御チャンバは連続して低及び高圧力下に置かれる流体を分配箱（１３）内に配置された通路（１６）を通して分配器（１５）の運動を制御するチャンバに連通させ、もって低及び高圧力を交互に生成する。
2004504168.tif 000002
【特許請求の範囲】
【請求項１】
非圧縮性流体によって液圧的に前後に駆動される、内部に工具を打撃するための衝突ピストン（１）が摺動自在に取り付けられたシリンダーを有する本体（２）を備え、前記衝突ピストンの運動が、該衝突型ピストンに対して同軸な間係に配置されかつ分配箱（３）内に取り付けた分配器（１５）によって制御される衝突型液圧装置において、
前記分配箱（３）が軸線方向で前記ピストン（１）と干渉しかつ該ピストンに対して同心な間係に配置された部分を備え、及び
前記分配箱（３）が前記ピストンと共に制御チャンバ（１３）を画成し、該制御チャンバが流体の高圧力（９）及び低圧力（１２）を連続して受けて前記分配箱（１５）内に形成されたダクト（１６）を介して該分配器（１５）の運動を指令するチャンバ（１４）と連通して内部に低圧及び高圧を交互に生じさせて該分配器（１５）に加わる合力を連続して逆転させることを特徴とする衝突式液圧装置。
【請求項２】
前記制御チャンバ（１３）を前記高圧及び低圧回路に連結する前記ダクト（１７、１８）が前記分配箱（３）に形成されることを特徴とする、請求項１に記載の衝突式液圧装置。
【請求項３】
前記ピストン（１）の上側端部が前記分配箱（３）に属する中央かつ軸線方向の円筒状担持面（５）に係合する孔（４）を備え、該ピストンの孔（４）が前記分配箱（３）の円筒状担持面（５）と共に前記制御チャンバを画成する環状凹所（１３）を備えることを特徴とする、請求項１または請求項２に記載の衝突式液圧装置。
【請求項４】
前記ピストン（１）の上側端部が前記分配箱（３）に形成された中央かつ軸線方向の孔（３５）内に係合する中央かつ軸線方向の円筒状担持面（４）を備え、該ピストン（１）の円筒状担持面（３５）が前記分配箱（３）の前記中央孔（３５）と共に前記制御チャンバを画成する環状溝（３６）を備えることを特徴とする、請求項１または請求項２に記載の衝突式液圧装置。
【請求項５】
前記装置は、前記分配箱（３）の下側端部と前記ピストン（１）との間に形成され、かつダクト（１７）によって前記低圧ネットワークに一定に連結される下側チャンバ（１０）、及び内部で前記ピストン（１）が前記分配箱（３）に対して摺動する前記孔（４）内に半径方向に開放し、かつ自身よりも上で前記制御チャンバ（１０）を前記分配器の指令チャンバ（１４）と連通するように位置づける、前記高圧ネットワークに一定に連結されるダクト（１８）を備え、前記分配箱（３）に対する前記ピストン（１）の運動が前記制御チャンバ（１０）を前記高圧ネットワークに連結された前記下側チャンバ（１０）と、前記低圧ネットワークに連結された前記ダクト（１８）とに連続して連通するように位置づける、請求項１から請求項４までのいずれか１項に記載の衝突式液圧装置。
【発明の詳細な説明】
【０００１】
【発明の属する技術分野】
本発明の主題は衝突式液圧装置（ｐｅｒｃｕｓｓｉｖｅ ｈｙｄｒａｕｌｉｃ ａｐｐａｒａｔｕｓ）である。
【０００２】
【従来の技術】
衝突式装置は、非圧縮性流体によって液圧的に前後駆動される、内部に工具を打撃するための衝突ピストンが摺動自在に取り付けられたシリンダーを含む本体を備える。ピストンの運動はピストンの各側に位置する或る複数のチャンバを連続して高圧回路及び低圧回路に連通させ、この順序付けられた前後運動をするように位置づける液圧回路を開閉する分配器によって指令される。
【０００３】
米国特許第４２３００１９号明細書は幾つかの本体、すなわち衝突式ピストンを有する主本体、分配装置を有する本体、及びエネルギー蓄積器を含む本体を備える。これらの種々の本体の配置は、打撃運動を作動させるために要する流体流量を通過させる駆動回路（ｐｏｗｅｒ ｃｉｒｃｕｉｔ）と、分配器を移動させる物理的に小さな指令回路とがシリンダーを有する本体及び分配器を有する本体の両方内に形成されるようなものである。
【０００４】
これは幾つかの欠点を起こす。
【０００５】
特に、指令ダクトはシリンダーを含む本体及び分配器を含む本体の両方に形成される。これにより、これらの２つの本体間を密封することが必要となる。
【０００６】
分配本体は横方向に位置づけられる。これは、衝撃波の結果として該分配本体が加速を伴うためにしっかりと保持する必要があることを意味する。
【０００７】
分配ブロックをシリンダーを有する本体より上に位置づけることも知られている。これにより、種々の回路を接続するようにシリンダーを有する本体に長い孔を穿孔することが必要になる。従って、これは製造コストの増大及びインライン圧力降下の増大を招く結果となる。
【０００８】
【発明が解決しようとする課題】
本発明の目的は、分配器に指令する装置が簡単な方法かつ小容積で作られる衝突式液圧装置を提供することである。
【０００９】
【課題を解決するための手段】
このために、上記目的に関連する衝突式液圧装置は、非圧縮性流体によって液圧的に前後駆動される、内部に工具を打撃するための衝突ピストンが摺動自在に取り付けられたシリンダーを有する本体を備える。ピストンの運動は、衝突型ピストンに対して同軸な間係に配置され、かつ分配箱内に取り付けた分配器によって制御される。該衝突型液圧装置は、
分配箱が軸線方向でピストンに接触干渉しかつ該ピストンに対して同心な間係に配置された部分を備え、及び
分配箱がピストンと共に制御チャンバを画成し、該制御チャンバは流体の高及圧力及び低圧力を連続的に受け、かつ分配箱内に形成されたダクトを介して分配器の運動を指令するチャンバと連通して内部に交互に低圧及び高圧を生じさせ、それにより分配器に加わる合力を連続して逆転させる、ことを特徴とする。
【００１０】
有利なことに、制御チャンバを高圧及び低圧回路に連結するダクトは分配箱内に形成される。
【００１１】
この衝突式液圧装置は、分配箱と、ピストンを含むシリンダとに重複部があるためにコンパクトな構造をしている。更に、分配組立体に指令しかつ制御するための回路がシリンダーの本体から独立しておりかつ分配箱内に形成されるという点で、この装置の構造は単純化される。このように、衝突式ピストンを運動させるために要する駆動回路のみがシリンダーの本体に機械加工される。一つかつ同一の分配装置が種々の形式の衝突式装置を装備し得ることに留意し得る。
【００１２】
この装置の第１実施形態によれば、ピストンの上側端部には、分配箱に属する中央かつ軸線方向の円筒状担持面に係合する孔が形成される。ピストンの孔は、分配箱の円筒状担持面と共に制御チャンバを画成する環状凹所を備える。
【００１３】
この装置の第２実施形態によれば、ピストンの上側端部には、分配箱に形成された中央かつ軸線方向の孔内で係合する中央かつ軸線方向の円筒状担持面が形成される。ピストンの円筒状担持面には分配箱の中央孔と共に制御チャンバを画成する環状溝が形成される。
【００１４】
両実施形態では、装置は、分配箱の下側端部とピストン間に形成され、かつダクトによって低圧ネットワークに常に連結される下側チャンバ、及び内部でピストンが分配箱に対して摺動する孔内に半径方向に開放し、かつ自身よりも上で制御チャンバを分配器の指令チャンバと連通するように位置づける、高圧ネットワークに常に連結されるダクトを備える。分配箱に対するピストンの運動は、制御チャンバを高圧ネットワークに連結された下側チャンバと、低圧ネットワークに連結されたダクトとに連通するように連続的に位置づける。下側チャンバに供給するダクト、及びまさにちょうど低圧ネットワークに連結されたダクトは分配箱内に形成される。
【００１５】
少なくとも、本発明は、非限定的な実施例によって、この装置の２つの実施形態を示す添付図面を参照した以下の説明によって明瞭に理解されよう。
【００１６】
【発明の実施の形態】
図１から図４までに示した装置は、本体２に形成したシリンダー内を摺動するように取り付けたピストン１を備える。このピストンの前後運動の間に、ピストンは工具０の上側端部を打撃するように構成される。本体２は、ピストン１ より上に分配箱３を備える。ピストン１は、内部に分配箱３に属する円筒状担持面５が係合する中央かつ軸線方向の孔４を備える。自身のシリンダ及び分配箱３を備えるピストンは少なくとも３つのチャンバを画成する。すなわち、
ピストンより上に位置する環状駆動チャンバ６、
断面積が小さくかつ常に高圧供給回路９に連通する対向（ａｎｔａｇｏｎｉｓｔ）環状チャンバ７、及び
常に低圧回路１２に連結される中央かつ軸線方向のチャンバ１０である。
【００１７】
一定流量の加圧流体を得るために、装置の周波数は種々の横断面領域の選択によって選択し得る。この選択は、衝突ピストン行程に対する装置の性能、したがって所定の供給流量のための打撃周波数を決定する。
【００１８】
ピストンの前後運動は、駆動チャンバ６と、交互に代わる高圧ネットワーク９及び低圧ネットワークの何れか一方との間の連通によって得られる。その結果、ピストン１に加わる液圧力の合力が一方向に働き引き続いて他方向に働く。
【００１９】
ピストンの孔は分配箱の円筒状担持面と共に環状制御チャンバ１３を画成する環状溝又は凹所を備える。分配箱の円筒状担持面５に対するピストンの位置により、ダクト１６及び制御チャンバ１３を介して分配器１５の運動を指令するためのチャンバ１４と、高圧ネットワーク９又は低圧ネットワーク１２のいずれか一方との間の連通を確立することができる。
【００２０】
このために、分配箱３の円筒状担持面は下側チャンバ１０を低圧ネットワーク１２と連通させるように位置づけるためのダクト１７、及び制御チャンバ１３より上で孔４内に半径方向に開放し、かつ高圧ネットワーク９に連結されたダクト１８を備える。
【００２１】
分配器１５は、分配箱１２及びカバー１９と共に３つのチャンバを画成する。すなわち、
高圧供給ネットワーク９と一定に連通する中央チャンバ２０、
低圧回路１２と常に連通する環状チャンバ２２、及び
チャンバ２２に対向しかつダクト１６を介して制御チャンバ１３に連結される環状チャンバ１４とである。
【００２２】
説明の残りをすると、実施形態により、指令チャンバ１４が低圧回路１２に連結されると分配器１５には下向きの運動が与えられ、かつこのチャンバが高圧回路９と連通するとこの分配器には上向きの運動が与えられる。
【００２３】
分配器１５の前後運動は、指令チャンバ１４と、高圧回路９及び低圧回路１２のいずれか一方とが交互に連通することによって達成される。その結果、３つのチャンバ１４、１９、２２の断面として選択された領域に応じて、分配器に加わる合力は一方向及び他方向に連続して働く。
【００２４】
初期状態は、図１に示す、分配器１５が低位置にありかつピストン１が低位置にある状態である。圧力を加えられた流体が高圧回路のダクト９内に流入するや否や、分配器に加わる合力はこの分配器を低位置に保持する。指令チャンバ１４はダクト１６、制御チャンバ１３、下側チャンバ１０及びダクト１７を介して低圧回路に連結される。衝突ピストンに加わる合力は衝突ピストンを上昇させる。何故なら、駆動チャンバ６はダクト２３及び環状溝２２を介して低圧回路に連結されるからである。
【００２５】
衝突ピストンの上向き運動の間に以下の動作が行われる。すなわち、
制御チャンバ１３を形成する環状凹所の端縁２４は分配箱３の円筒状担持面の端縁を通過して低圧回路から指令ダクト１６を分離する。
衝突ピストン１の上向き運動の終端では、図２に示すように、ピストンの端縁２６は高圧回路に連結されたダクト１８の開口を剥き出しにし、高圧回路及び指令ダクト１６と、制御チャンバ１３を介した指令チャンバ１４との間の連通を確定する。
それから、分配器１５の指令チャンバ１４は高圧側に位置する。これは分配器に加わる合力がこの分配器を図３に示すように上昇させることを意味する。
分配器１３の端縁２７は分配箱３の端縁２８を剥き出しにし、かつ回路９及び中央チャンバ２０からの高圧流体と、ダクト２３及び駆動チャンバ６との間の連通を確定する。
分配器１５が自身の上向き行程を終えると、図４に示すように、ピストン１に加わる合力はピストンを自身の下向き行程である下向きに加速する。
分配器の指令回路１４、１６は高圧回路から分離されかつ制御チャンバ１３及び下側チャンバ１０を介して低圧回路と連通するように位置づけられる。この時分配器に加わる合力は下向きに指向されて分配器は自身の下向き運動を開始する。同時に、衝突ピストン１は自身の衝突領域に到達する。
分配器１５の端縁２７が分配箱３の端縁２８を通過して駆動チャンバ６を衝突ピストンから分離する。
分配器は低圧回路１２と駆動チャンバ６の間の連通を確定する。この時、衝突ピストン及び分配器は、図１に示す下側位置にあり、作動サイクルが再始動し得る。
【００２６】
図５はこの装置の別の実施形態を示し、上述したように同一要素は同一符号
で示す。この実施形態では、分配箱３と衝突ピストン１との重複は、衝突ピストンが中央孔３５に係合しかつ分配箱３に形成された中央の円筒状担面３４を備えるという事実の結果である。円筒状担持面３４は制御チャンバ３６を画成する環状溝を備える。この時、下側チャンバ１０はもはや環状チャンバ以外の中央チャンバではない。
【００２７】
言うまでもなく、本発明は、本明細書に上述のように例示し説明してきたこの衝突式装置の実施形態に制限されるものではなくその全ての変更態様を包含する。
【図面の簡単な説明】
【図１】４つの作動段階の間における装置の長手方向断面図である。
【図２】４つの作動段階の間における装置の長手方向断面図である。
【図３】４つの作動段階の間における装置の長手方向断面図である。
【図４】４つの作動段階の間における装置の長手方向断面図である。
【図５】第２実施形態の長手方向断面を示す図である。
【符号の説明】
１　衝突ピストン
２　本体
３　分配箱
４　中央かつ軸線方向の孔
５　円筒状担持面
９　流体の高圧
１０　制御チャンバ
１２　流体の低圧
１３　制御チャンバ
１４　チャンバ
１５　分配器
１６　ダクト
１７、１８　ダクト
３４　円筒状担持面
３５　制御孔
３６　環状溝
【国際公開パンフレット】
2004504168.tif 000003
2004504168.tif 000004
2004504168.tif 000005
2004504168.tif 000006
2004504168.tif 000007
2004504168.tif 000008
2004504168.tif 000009
2004504168.tif 000010
2004504168.tif 000011
2004504168.tif 000012
2004504168.tif 000013
2004504168.tif 000014
2004504168.tif 000015
2004504168.tif 000016
2004504168.tif 000017
【国際調査報告】
2004504168.tif 000018
2004504168.tif 000019
2004504168.tif 000020
2004504168.tif 000021